(57)【要約】      （修正有）【課題】部屋内部の内壁面や天井面の下地材を下地検知器で探す必要が無く、地震災害時に人が冷蔵庫で怪我をしないように冷蔵庫の転倒と移動を防止し、安全性と実用性の向上を図り簡単で目立たないように金物を取り付けすることができる冷蔵庫固定金物を提供する。【解決手段】冷蔵庫固定金物（木製巾木面取付け用）１に冷蔵庫固定金物（冷蔵庫下部枠材取付け用）３を連結ワイヤー１５で連結した冷蔵庫固定金物の材質は鉄材に限定せずに丈夫な材質とし、冷蔵庫５の下部枠材と部屋内部の内壁１０床面側にある木製巾木１６及び内壁１０と内壁下地材１１に冷蔵庫固定金物（巾木面取付け用）１と冷蔵庫固定金物（冷蔵庫下部枠材取付け用）３をネジ（木製巾木面用）１３とネジ（冷蔵庫用）１４で連結固定し冷蔵庫５を床９に定着させることで、地震災害時に冷蔵庫５の転倒と移動を防止する。【選択図】図４
2019088741.tif 000002
【特許請求の範囲】
【請求項１】
冷蔵庫固定金物は基本的に内壁下地材のある木製巾木面に取付けるため、部屋内部の内壁面や天井面の下地材を下地検知器で探す必要が無く、冷蔵庫の下部枠材と部屋内部の内壁床面側の木製巾木及び内壁と内壁下地材にネジ及び連結ワイヤーで連結固定することで冷蔵庫が床面に定着し、地震災害時に冷蔵庫が転倒又は移動してきた冷蔵庫で人が怪我をしないようにできることを特徴とする冷蔵庫固定金物。
【請求項２】
前記冷蔵庫固定金物の材質は鉄材だけに限定せず、冷蔵庫の下部枠材を部屋内部の内壁床面側にある木製巾木及び内壁と内壁下地材にネジ及び連結ワイヤーで連結固定できる丈夫な材質であることと、冷蔵庫固定金物は木製巾木の釘打ち用溝にネジを打付けるため冷蔵庫固定金物を取外した後でも開けたネジ穴を目立ちにくくできる請求項１に記載の冷蔵庫固定金物。
【発明の詳細な説明】
【技術分野】
【０００１】本考案は、冷蔵庫の下部枠材を部屋内部の内壁床面側にある木製巾木及び内壁と内壁下地材に金物とネジ及び連結ワイヤーにより簡単に連結固定できる冷蔵庫固定金物に関し、特に地震災害時による冷蔵庫の転倒と移動を防止する冷蔵庫固定金物に関する。
【背景技術】
【０００２】現在日本で販売されている冷蔵庫転倒防止製品は、冷蔵庫の上部面と部屋内部の天井面を突っ張り棒で押さえ冷蔵庫を固定するタイプと、冷蔵庫の上部面と部屋内部の内壁面にＬ形金物又はベルトやチェーン付き金具でネジ止めして冷蔵庫を固定するタイプが多くある。
【先行技術文献】
【特許文献】
【０００３】
【特許文献１】特開２０１２−００５８２２
【特許文献２】実録３１６４３３６
【発明の概要】
【発明が解決しようとする課題】
【０００４】しかしながら、冷蔵庫の上部に取付けるタイプの冷蔵庫転倒防止製品は、製品を取付ける為に、部屋内部の内壁面や天井面の下地材を探す下地検知器を使用して下地材を探したうえで、取り付け位置を決めてから下地材に取り付けないと、十分に冷蔵庫を固定する効果を発揮できないという問題があった。【０００５】一方、冷蔵庫と部屋内部の下地材の位置が合わない場合、バランスが悪い冷蔵庫転倒防止製品の取り付け方になり取り付け後には冷蔵庫転倒防止製品が目立つという問題があった。【０００６】本考案は、上記した課題を解決すべくなされたものであり、冷蔵庫固定金物を取付ける木製巾木には基本的に内壁下地材があるため部屋内部の内壁面や天井面の下地材を下地検知器で探す必要は無く、冷蔵庫固定金物で冷蔵庫の下部枠材を部屋内部の内壁床面側にある木製巾木及び内壁と内壁下地材にネジ及び連結ワイヤーにより簡単に連結固定することができることと、バランスよく目立たないように冷蔵庫に取り付け固定することができ、木製巾木に取付ける際のネジ穴も木製巾木の溝部分に開くので取外し後でも開けた穴が目立たない冷蔵庫固定金物を提供することを目的とするものである。
【課題を解決するための手段】
【０００７】上記した目的を達成するため、本考案は冷蔵庫の下部枠材を部屋内部の内壁床面側にある木製巾木及び内壁と内壁下地材に冷蔵庫固定金物とネジ及び連結ワイヤーにより連結固定し冷蔵庫を床面にしっかりと定着させることで、地震災害時による冷蔵庫の転倒と移動を防止できることを特徴とする。【０００８】そして、冷蔵庫固定金物の材質は鉄材だけに限定せず、冷蔵庫の下部枠材と部屋内部の内壁床面側にある木製巾木及び内壁と内壁下地材を連結固定できる丈夫な材質であることが好ましい。【０００９】また、本考案に係る冷蔵庫固定金物において、冷蔵庫固定金物を取り付けるときは冷蔵庫の下部枠材を部屋内部の内壁床面側にある木製巾木及び内壁と内壁下地材に冷蔵庫固定金物とネジ及び連結ワイヤーで固定し、冷蔵庫固定金物が目立ちにくくなるように取付けることが好ましい。
【発明の効果】
【００１０】本考案によれば、冷蔵庫固定金物を取付ける木製巾木には基本的に内壁下地材があるため部屋内部の内壁面や天井面の下地材を下地検知器で探す必要は無く、冷蔵庫の下部枠材を部屋内部の内壁床面側にある木製巾木及び内壁と内壁下地材に冷蔵庫固定金物とネジ及び連結ワイヤーで連結固定することで、冷蔵庫がしっかりと床面に定着し床面から持ち上がらなくなり、地震災害時に冷蔵庫が転倒又は移動してきた冷蔵庫で人が怪我をしないように、冷蔵庫を固定する役割を果たすことができる。
【図面の簡単な説明】
【００１１】
【図１】本考案の実施の形態に係る冷蔵庫固定金物を示す木製巾木面取付け用金物と冷蔵庫下部枠材取付け用金物の部材図である。
【図２】本考案の実施の形態に係る冷蔵庫固定金物を示す取り付け設置図（正面図）である。
【図３】本考案の実施の形態に係る冷蔵庫固定金物を示す取り付け設置図（後面図）である。
【図４】本考案の実施の形態に係る冷蔵庫固定金物を示す取り付け設置図（側面図）である。
【発明を実施するための形態】
【００１２】以下、図面を参照しつつ、本考案の冷蔵庫固定金物及び冷蔵庫固定金物の取り付けについて例示説明する。
【実施例１】
【００１３】本考案の実施の形態に係る冷蔵庫固定金物（木製巾木面取付け用）１に冷蔵庫固定金物（冷蔵庫下部枠材取付け用）３を連結ワイヤー１５で連結した冷蔵庫固定金物は、冷蔵庫５の下部枠材と部屋内部の内壁１０床面側の木製巾木１６及び内壁１０と内壁下地材１１をネジ（木製巾木面用）１３とネジ（冷蔵庫用）１４及び連結ワイヤー１５で連結する部材である。【００１４】このように、上記した本考案の実施形態に係る冷蔵庫固定金物（木製巾木面取付け用）１に冷蔵庫固定金物（冷蔵庫下部枠材取付け用）３を連結ワイヤー１５で連結した冷蔵庫固定金物により、冷蔵庫５の下部枠材を部屋内部の内壁１０床面側の木製巾木１６及び内壁１０と内壁下地材１１をネジ（木製巾木面用）１３とネジ（冷蔵庫用）１４及び連結ワイヤー１５で連結および固定を簡単に行えるため汎用性を高めることができる。【００１５】また、冷蔵庫固定金物（木製巾木面取付け用）１に冷蔵庫固定金物（冷蔵庫下部枠材取付け用）３を連結ワイヤー１５で連結した冷蔵庫固定金物は、冷蔵庫５の下部枠材に取り付けるため目立たないので、見た目もスッキリとさせることができ、木製巾木１６に取付ける際のネジ穴も木製巾木１６の溝部分に開けることで取外し後でも開けた穴を目立たなくすることができる。【００１６】そして、冷蔵庫固定金物（木製巾木面取付け用）１に冷蔵庫固定金物（冷蔵庫下部枠材取付け用）３を連結ワイヤー１５で連結した冷蔵庫固定金物は、基本的に内壁下地材１１がある木製巾木１６に取付けるので内壁面１０や天井面１２の下地材を下地検知器で探す必要はなく、簡単に取り付け位置を決めて取り付けることができる。【００１７】さらに、冷蔵庫固定金物（木製巾木面取付け用）１に冷蔵庫固定金物（冷蔵庫下部枠材取付け用）３を連結ワイヤー１５で連結した冷蔵庫固定金物は、金物の形状を変えることで冷蔵庫５の下部枠材を部屋内部の内壁１０床面側の木製巾木１６及び内壁１０と内壁下地材１１と同時に、床９や木製巾木１６よりも高い位置にある内壁下地材１１にもネジ（木製巾木面用）１３とネジ（冷蔵庫用）１４で連結固定することができる。【００１８】なお、上記した形態における冷蔵庫固定金物（木製巾木面取付け用）１に冷蔵庫固定金物（冷蔵庫下部枠材取付け用）３を連結ワイヤー１５で連結した冷蔵庫固定金物の形状や取り付け方法は単なる例示にすぎず、本発明は権利範囲を限定するものと解釈されることを意図するものではない。
【産業上の利用可能性】
【００１９】冷蔵庫固定金物は冷蔵庫５だけではなく家具等の倒れやすい品物にも取付けすることができ、他の建築工法の建築物でも取付けることができる。
【符号の説明】
【００２０】１  冷蔵庫固定金物（木製巾木面取付け用）
２  ネジ取付け用の穴（木製巾木面取付け用）
３  冷蔵庫固定金物（冷蔵庫下部枠材取付け用）
４  ネジ取付け用の穴（冷蔵庫下部枠材取付け用）又は連結ワイヤー通し穴
５  冷蔵庫
６  冷蔵庫運搬用持ち手
７  冷蔵庫脚（前側）
８  冷蔵庫キャスター脚（後側）
９  床
１０  内壁
１１  内壁下地材
１２  天井
１３  ネジ（木製巾木面用）
１４  ネジ（冷蔵庫用）
１５  連結ワイヤー
１６  木製巾木
１７  木製巾木釘打ち用の溝
【図１】
2019088741.tif 000003
【図２】
2019088741.tif 000004
【図３】
2019088741.tif 000005
【図４】
2019088741.tif 000006